(57)【特許請求の範囲】
【請求項１】
結露除去対象面を転動する結露除去ロールと、この結露除去ロールを先端のロール軸部で回転自在に支持する支軸と、この支軸の基端部を固着した把持柄と、を備えた結露除去具であって、
前記結露除去ロールは、マイクロファイバーによって構成される半径方向の寸法が小さい第１吸水層と、多孔質部材によって構成される半径方向の寸法が第１吸水層よりも大きい第２吸水層とを備え、第２吸水層の外周に第１吸水層が同時回転可能に巻回され、前記第１吸水層は、厚手で筒状の内層と、この内層の外周部に薄手で筒状の外層とを有する二層構造になっていることを特徴とする結露除去具。
【請求項２】
外層の前端部は閉塞壁によって閉塞されて袋状を呈し、後端部は絞りこまれていることを特徴とする請求項１に記載の結露除去具。
【請求項３】
ロール軸部の後端には係止突起が形成され、結露除去ロールに、前記係止突起が係合するスリットが形成され、前記係止突起がスリットに嵌まり込んで結露除去ロールの回転が止まって結露除去対象面の汚れを拭き取る、ことを特徴とする請求項１に記載の結露除去具。
【請求項４】
把持柄が中空構造であり、かつ、その先端部に該把持柄の中空部に連通する水受け皿を着脱可能に取り付けた、ことを特徴とする請求項１または請求項３に記載の結露除去具。
【請求項５】
把持柄は、その長さが増大する、ことを特徴とする請求項１または請求項４に記載の結露除去具。
【発明の詳細な説明】
【技術分野】
【０００１】
本発明は、例えば、浴室の天井に付着した水滴や居室の窓ガラス内面に付着した結露を吸い取ったり、汚れを拭取るための結露除去具に関する。
【背景技術】
【０００２】
従来、浴室の湿度と壁面の温度差との複合作用などによって天井に発生した水滴（以下の説明では、結露という。）や居室窓ガラス内外面の温度差によって窓ガラスの内面に発生した結露は、黒カビの原因となり、美観を損なうばかりでなく、アレルギーの原因となって健康に害をおよぼすおそれがある。このため、結露を除去する露取り具として、たとえば、特許文献１に記載のものが提供されている。
【０００３】
この露取り具は、一方の側縁表面に限り突縁部を付設して前縁が傾斜するヘラ部および通孔を有する支持体を、前記通孔と合致し連通する中空把持部の前端に直交して装着し、該中空把持部の後端に貯留部を設けたものである。
【０００４】
前記構成の露取り具によれば、中空把持部を把持してヘラ部の前縁を浴室の天井の下面や窓ガラスの内面などの結露除去対象面に押し付け、この状態で結露除去対象面に沿って露取り具を前進させることにより、天井の下面や窓ガラスの内面に発生した結露をヘラ部の前縁で擦り取って、これらを結露除去対象面から除去することができる。
【０００５】
一方、スポンジローラを回転可能に軸支した持手の付いた窓用清掃用具のようなものも提供されている（たとえば、特許文献２。）。
【０００６】
この窓用清掃用具は、持手の先端部に受体と支軸とを介してスポンジなどの吸水性素材からなるロールを装備したものである。
【０００７】
前記構成の窓用清掃用具によれば、ロールに洗浄液を含浸させたのち、持手を把持してロールを窓ガラスなどの清掃対象面に押し付け、清掃対象面に沿って窓用清掃用具を前進させることにより、清掃対象面を清掃することができる。
【先行技術文献】
【特許文献】
【０００８】
【特許文献１】実用新案登録第３０１２５６９号公報
【特許文献２】実用新案登録第３０６５３２２号公報
【発明の概要】
【発明が解決しようとする課題】
【０００９】
前記特許文献１に記載されている露取り具は、結露除去対象面、特に浴室の天井面や壁面上部に対し、ヘラ部前縁の押し付け強さを所定値以上にキープした状態で結露取り作業を行わなければならない。しかし、主婦等が上向きの姿勢で、露取り具を天井面に押し付けながら結露除去作業を継続して行うのは重労働であり、高齢者等では実際上不可能である。しかも、露取り具の天井面の押し付け強さが変動するので、ヘラ部前縁が結露除去対象面から離れると、ヘラ部の前縁による結露の擦り取り効果がなく、結露が結露除去対象面に残ることとなる。したがって、結露が残った領域に対して再度結露を除去する作業を実行することが要求されるので、結露除去作業効率が低くなる問題点を有している。
【００１０】
そこで、前記特許文献２に記載されている窓用清掃用具を露取り具に転用することも考えられる。窓用清掃用具は、結露除去対象面に対するロールの押し付け強さが多少変動しても、スポンジ製のロールは、強弱の差があっても天井面や壁面と接触するので、ロールにより結露はある程度除去することができ、結露の拭き残しが少なくなり、前記特許文献１に記載されている露取り具と比較して、効率よく結露除去作業を実行することが可能である。
【００１１】
ところが、前記窓用清掃用具のロールはスポンジ製であるため、吸水特性を有してはいるものの、吸水速度が遅く結露が天井面からぼたぼたと落下する難点を有する。しかも、スポンジの表面が荒いために、結露除去対象面に結露が残り、壁面の汚れを拭取ることができないため、壁面のカビの繁殖の原因となるおそれがある。
【００１２】
本発明は上記の実情に鑑みてなされたものであって、結露の除去を高い作業効率で的確に実行することができる結露除去具の提供を目的とするものである。
【課題を解決するための手段】
【００１３】
前記目的を達成するために、本発明に係る結露除去具は、結露除去対象面を転動する結露除去ロールと、この結露除去ロールを先端のロール軸部で回転自在に支持する支軸と、この支軸の基端部を固着した把持柄と、を備えた結露除去具であって、
前記結露除去ロールは、マイクロファイバーによって構成される半径方向の寸法が小さい第１吸水層と、多孔質部材によって構成される半径方向の寸法が第１吸水層よりも大きい第２吸水層とを備え、第２吸水層の外周に第１吸水層が同時回転可能に巻回され、前記第１吸水層は、厚手で筒状の内層と、この内層の外周部に薄手で筒状の外層とを有する二層構造になっていることを特徴としている。
【００１４】
前記構成の結露除去具によれば、把持柄を把持して結露除去ロールを結露除去対象面に押し当てて、結露除去対象面に沿って結露除去具を移動させることで、結露除去対象面の結露を結露除去ロールで吸水して除去することができる。
結露は、優れた吸水能力と保水能力を有するマイクロファイバーからなる第１吸水層により迅速に吸水され、かつ、該第１吸水層に保水される第１の作用によって除去される。前記第１の作用が継続されることで、第１吸水層の保水が飽和点近くになると、第１吸水層に保持されている水分をスポンジ等の多孔質部材からなる第２吸水層により吸水し、かつ、保水する第２の作用が開始されて、第１吸水層の飽和点到達を遅らせる。これにより、第１の作用による結露の除去時間が延長される。前記第２の作用に追従する第１の作用は、第２吸水層の保水が飽和点に到達するまで継続されて結露を除去する。第２吸水層の保水が飽和点に到達した後の結露の除去は、第１吸水層の保水が飽和点になるまで実行できる。
【００１５】
前記結露除去ロールが、スポンジ等の多孔質部材からなる内周側の第２吸水層と、この第２吸水層に巻回されたマイクロファイバーからなる外周側の第１吸水層と、を備えていることによって、高価な第１吸水層の層厚を薄く制限した経済的に有利な構造が得られる。しかも、従来技術のようなヘラ部の前縁による擦り取りが不要になるので、結露除去対象面に対する第１吸水層の押し付け強さが多少変動しても、優れた吸水能力と保水能力を有する第１吸水層により結露の除去を高い作業効率で的確に実行することができる。また、第２吸水層の吸水作用と保水作用が加味されることで、第１吸水層の優れた吸水能力と保水能力とを、第２吸水層の保水が飽和点になる時間に相当して延長できる。このため、結露除去作業実行途中における頻繁な第１、第２吸水層の「絞り操作」が不要になって、結露の除去を高い作業効率で的確に実行することが可能になる。
【００１６】
本発明に係る結露除去具は、前記第１吸水層が、前記第２吸水層側の内層と、この内層の外周に配置した外層との二層構造である。これによれば、外層と内層との協働により、優れた吸水能力と保水能力を発揮できるものでありながら、高価な第１吸水層の経時劣化や損傷などに際しては、外層のみの交換によって第１吸水層の機能回復が可能であるので経済的に有利である。
【００１７】
本発明の結露除去具は、外層の前端部が閉塞壁によって閉塞されて袋状を呈し、後端部は絞りこまれていることにより、経時劣化や損傷などに際して、外層のみを容易に交換することができる。そして、ロール軸の後端に形成された係止突起を結露除去ロールに形成したスリットに嵌め込むことで、結露除去ロールの回転が止められるので、停止状態の外層によって結露除去対象面の汚れを容易に拭き取ることができる。
また、前記把持柄が中空構造であり、かつ、その先端部に該把持柄の中空部に連通する水受け皿を着脱可能に取り付けることで、第１、第２吸水層の両者が飽和点に達した後、さらに結露除去作業が継続されることで結露除去ロールから水滴が滴下しても、この水滴を水受け皿で捕集し、把持柄の中空部を通して排水することができるので、結露除去作業者の水濡れが防止される。
【００１８】
さらに、前記把持柄は、その長さが増大するので、高い天井や高所の天窓などの結露を容易に除去することができる。
【００１９】
前記把持柄の長さは、伸縮手段によって無段階に調節自在であってもよい。これによると、天井や天窓などの高さの如何を問わず、把持柄の長さを作業者の使い勝手のよい任意の長さに調節して、結露を容易に除去することができる。
【発明の効果】
【００２０】
本発明に係る結露除去具は、高価な第１吸水層の層厚を制限した経済的に有利な構成を実現できる。また、結露除去対象面に対する第１吸水層の押し付け強さが多少変動しても、優れた吸水能力と保水能力を有する第１吸水層により結露の除去を高い作業効率で的確に実行することができるとともに、第２吸水層の吸水作用と保水作用が加味されることで、第１吸水層の優れた吸水能力と保水能力とを、第２吸水層の保水が飽和点になる時間に相当して延長できるので、結露除去作業実行途中における頻繁な第１、第２吸水層の「絞り操作」が不要になって、結露の除去を高い作業効率で的確に実行することが可能になる。
【図面の簡単な説明】
【００２１】
【図１】本発明に係る結露除去具の一実施形態を一部断面にして示す正面図である。
【図２】図１の右側面図である。
【図３】要部の拡大縦断面図である。
【図４】結露除去ロールを支軸から分離した状態を示す説明正面図である。
【図５】使用状態の変形例を示す概略説明図である。
【図６】把持柄の第１変形例を示す概略説明図である。
【図７】把持柄の第２変形例を示す概略説明図である。
【発明を実施するための形態】
【実施例】
【００２２】
以下、本発明に係る結露除去具の好ましい実施形態を図面に基づいて説明する。
図１は本発明に係る結露除去具の一実施形態を一部断面にして示す正面図、図２は図１の右側面図、図３は要部の拡大縦断面図である。
【００２３】
図１〜図３において、結露除去具１は、結露除去ロール２と、この結露除去ロール２を先端側のロール軸部３ａで回転自在に支持する金属棒からなる支軸３と、支軸３の基端部３ｂを嵌入固着した樹脂成形体からなる筒状の把持柄４とを備える。なお、本実施例は、特許文献２のように、結露除去ロール２の両サイドに支軸３がないので、天井のコーナを拭く場合に、結露除去ロール２の前端部（図１、図３の左端部）で、スミまで拭くことができる。
【００２４】
結露除去ロール２は、マイクロファイバーによって構成される半径方向の寸法が小さい筒状の第１吸水層２０と、スポンジ（多孔質部材）によって構成されて、前端部（図１、図３の左端部）が閉塞壁２１ａによって閉塞された半径方向の寸法が第１吸水層２０よりも大きい筒状第２吸水層２１とを備え、第２吸水層２１の外周に第１吸水層２０が同時回転可能に巻回されており、第１吸水層２０は、厚手で筒状の内層２２と、この内層２２の外周に同時回転可能に配置された薄手の外層２３とを有する二層構造になっている。そして、外層２３の前端部（図１、図３の左端部）は閉塞壁２３ａによって閉塞されて袋状を呈しており、かつ、後端部（図１、図３の右端部）はゴムバンド２３ｂによって絞り込まれている。
【００２５】
結露除去ロール２における第２吸水層２１の内周には、図３に示すように、軸受部材６が内嵌し、この軸受部材６内の前端部（図３の左側）に、中軸５が回転可能に軸支し、この中軸５にロール軸部３ａが嵌め込まれている。ロール軸部３ａの後端部（図３の右側）には、内軸受部材６ａが外嵌し、この内軸受部材６ａもロール軸部３ａに対して回転自在に支持されている。ロール軸部３aの後端には係止突起３１が形成され、結露除去ロール２（軸受部材６及び内軸受部材６ａ）に、前記係止突起３１が係合するスリット３２が形成されている。ロール軸部３aを結露除去ロール２に押し込むことにより、係止突起３１がスリット３２に嵌まり込み、結露除去ロール２の回転が止まり、第１吸水層２０により、結露除去対象面に付着した汚れを拭き取ることができる。
【００２６】
把持柄４は、その上端部に複数の水受け皿取付片４ａが上向きに突設され、これら水受け皿取付片４ａによって、後述する水受け皿が着脱可能、かつ、中空部４ｂに連通するように取り付けられる。また、把持柄４の下端部には、中空部４ｂに連通する雌ねじ４ｃを設けてある。ただし、本発明では、水受け皿取付片４ａ、中空部４ｂ、雌ねじ４ｃ、水受け皿は必ずしも必要ではなく、把持柄４が中実な樹脂製のかたまりからなる柄であってもよい。
【００２７】
前記構成の結露除去具１は、把持柄４を把持して、結露除去ロール２における第１吸水層２０を図２に示す浴室の天井や居室の窓ガラス内面などの結露除去対象面６０に押し当て、結露除去対象面６０に沿って結露除去具１を矢印ｆ１，ｆ２方向に移動させることで、結露除去対象面６０の結露（図示省略）を結露除去ロール２で吸水して除去することができる。
【００２８】
第１吸水層２０を構成しているマイクロファイバーは、８μｍ以下の極細のポリアミド樹脂繊維やポリエステル樹脂繊維からなり、ミクロ単位の各繊維の断面形状は放射状の三角断面を呈しているので無数の隙間を有し、これら無数の隙間は毛細管現象により多量の水分を取り込むとともに、取り込んだ水分を保持（保水）する特性を備えている。つまり、マイクロファイバーによって構成されている第１吸水層２０は、優れた吸水能力と保水能力を有している。
【００２９】
結露は、優れた吸水能力と保水能力を有するマイクロファイバーからなる第１吸水層２０により吸水され、かつ、該第１吸水層２０に保水される第１の作用によって容易に除去できる。前記第１の作用が継続されることで、第１吸水層２０の保水が飽和点近くになると、第１吸水層２０に保持されている水分をスポンジからなる第２吸水層２１により吸水し、かつ、保水する第２の作用が開始されて、第１吸水層２０の飽和点到達を遅らせる。詳しくは、第１吸水層２０における薄手の外層２３の保水が飽和点に達し、続いて第１吸水層２０における厚手の内層２２の保水が飽和点近くになると、厚手の内層２２に保持されている水分を第２吸水層２１により吸水し、かつ、保水する第２の作用が開始されて、第１吸水層２０の飽和点到達を遅らせる。これにより、第１の作用による結露の除去時間が延長される。前記第２の作用に追従する第１の作用は、第２吸水層２１の保水が飽和点に到達するまで継続されて結露を除去する。第２吸水層２１の保水が飽和点に到達した後の結露の除去は、第１吸水層２０の保水が飽和点になるまで実行できる。
【００３０】
結露除去ロール２が、スポンジからなる内周側の第２吸水層２１と、この第２吸水層２１に巻回されたマイクロファイバーからなる外周側の第１吸水層２０とを備えていることによって、高価な第１吸水層２０の層厚を薄く制限した経済的に有利な構造が得られる。しかも、従来技術のようなヘラ部の前縁による擦り取りが不要になるので、結露除去対象面６０に対する第１吸水層２０の押し付け強さが多少変動しても、優れた吸水能力と保水能力を有する第１吸水層２０により結露の除去を高い作業効率で的確に実行することができる。また、第２吸水層２１の吸水作用と保水作用が加味されることで、第１吸水層２０の優れた吸水能力と保水能力とを、第２吸水層２１の保水が飽和点になる時間に相当して延長できる。このため、結露除去作業実行途中における頻繁な第１、第２吸水層２０，２１の頻繁な「絞り操作」が不要になって、結露の除去を高い作業効率で的確に実行することが可能になる。
【００３１】
第１吸水層２０が、第２吸水層２１側の厚手の内層２２と、この内層２２の外周に配置した薄手の外層２３との二層構造であることにより、外層２３と内層２２との協働により、優れた吸水能力と保水能力を発揮できるものでありながら、高価な第１吸水層２０の経時劣化や損傷などに際しては、薄手の外層２３のみの交換によって第１吸水層２０の機能回復が可能であるので経済的に有利である。
【００３２】
第１吸水層２０および第２吸水層２１の保水が飽和点に到達すれば、結露除去ロール２を取り外して手で絞ればよい。第１吸水層２０を構成しているマイクロファイバーは、前述した優れた吸水能力と保水能力を有するとともに、優れた排水能力をも併有しているので、飽和点まで保水した大量の水分でも、絞り操作で容易に排水することができる。また、絞り操作時に生じる結露除去ロール２の変形は、絞り操作の解除時に、スポンジからなる第２吸水層２１の弾性によって略瞬時に消失して、結露除去ロール２を原形に回復させることができる。
【００３３】
図５に示すように、把持柄４の先端部に突設されている複数の水受け皿取付片４ａを利用して、該把持柄４の中空部４ｂに連通する樹脂製の水受け皿７を着脱可能に取り付けてもよい。水受け皿７が取り付けられると、結露除去作業時において、結露除去対象面６０に対する結露除去ロール２の押し付け強さが過剰になったり、あるいは、第１、第２吸水層２０，２１の両者が飽和点に達した後、さらに結露除去作業が継続されることなどによって、結露除去ロール２から水滴が滴下しても、この水滴を水受け皿７で捕集し、把持柄４の中空部４ｂを通して排水することができるので、結露除去作業者の水濡れを防止できる。なお、把持柄４下端部の雌ねじ４ｃにカップリング８の一端部を螺着し、該カップリング８の他端部に可撓管（樹脂製のホース）９の先端部を接続すれば、滴下水滴による結露除去作業者の水濡れを確実に防止した状態で、特定の排水箇所に滴下水滴を排水することが可能となる。
【００３４】
図５で説明した可撓管（樹脂製のホース）９に代えて、図６に示すように、把持柄４下端部の雌ねじ４ｃに長寸の補助柄１０上端部の雄ねじ１０ａを螺着して、把持柄４の全長を補助柄１０の長さに相当して増大すれば、結露除去対象面６０が高い天井や高所の天窓などであっても、結露を容易に除去することができる。
【００３５】
さらに、図７に示すように、把持柄４の長さは、伸縮手段１１によって無段階に調節自在である。伸縮手段１１は、内筒１２と、外筒１３および伸縮ロックナット１４を備え、内筒１２を軸方向のスライド自在に外筒１３に挿通した内外二重構造になっており、把持柄４下端部の雌ねじ４ｃに内筒１２上端部の雄ねじ１２ａを螺着することで把持柄４に結合される。また、伸縮ロックナット１４の締付け操作によって、外筒１３と内筒１２の相対移動を阻止して把持柄４の全長を所定の長さに保持するとともに、伸縮ロックナット１４の緩め操作によって、外筒１３と内筒１２の相対移動を可能にして、把持柄４の全長を伸縮自在としたものである。このように、把持柄４の全長が無段階に調節自在であると、天井や天窓などの結露除去対象面６０の高さの如何を問わず、把持柄４の長さを作業者の使い勝手のよい任意の長さに調節して、結露を容易に除去することができる。
【００３６】
なお、図５、図６および図７において、図１〜図４と同一部分には同一符号を付して、重複する構造と作用の説明は省略する。
【産業上の利用可能性】
【００３７】
浴室の湿度と温度差との複合作用などによって天井に付着した水滴を除去したり、冬季における居室窓ガラス内外面の温度差によって窓ガラスの内面に付着した結露を除去する露取り具として利用する。
【符号の説明】
【００３８】
１  結露除去具
２  結露除去ロール
３  支軸
３ａ  ロール軸部
３ｂ  基端部
４  把持柄
４ｂ  中空部
７  水受け皿
２０  第１吸水層
２１  第２吸水層
２２  内層
２３  外層
２３ａ  閉塞壁
３１  係止突起
３２  スリット
６０  結露除去対象面
【図１】
0005230775.tif 000002
【図２】
0005230775.tif 000003
【図３】
0005230775.tif 000004
【図４】
0005230775.tif 000005
【図５】
0005230775.tif 000006
【図６】
0005230775.tif 000007
【図７】
0005230775.tif 000008